【手続補正書】
【提出日】平成18年3月1日(2006.3.1)
【手続補正１】
【補正対象書類名】明細書
【補正対象項目名】特許請求の範囲
【補正方法】変更
【補正の内容】
【特許請求の範囲】
【請求項１】  ユーザーからの要求を入力する入力手段と、
経過時間に応じて変動する所定の時間単位ごとの待機時コストを示す単位時間待機時コストと使用装置とが関連づけられた待機時コストデータベースと、生産条件と処理量に応じて変動する所定の処理単位ごとの処理時コストを示す単位処理量処理時コストと使用装置とが関連づけられた処理時コストデータベースと、生産条件と生産工程と使用装置とが関連づけられた生産工程情報データベースとに基づき、前記入力手段によって入力された要求に応じた総コストを演算する管理手段と、
当該管理手段によって演算された総コストを所定の形式でユーザーに提示する出力手段と、
を含み、
前記要求は、前記生産条件の指定を示す生産条件指定と、前記生産工程の規模に応じた集計単位の指定を示す集計単位指定とを含み、
前記管理手段は、
前記生産条件指定に応じて少なくとも１台の使用装置を選択し、当該使用装置の想定待機時間と、当該使用装置の単位時間待機時コストとに基づき、前記集計単位指定に応じた総待機時コストを演算し、
前記生産条件指定に含まれる処理量の指定と、前記生産条件指定に応じて選択した使用装置の単位処理量処理時コストとに基づき、前記集計単位指定に応じた総処理時コストを演算し、
前記総待機時コストと、前記総処理時コストとに基づき、総コストを演算することを特徴とする生産管理システム。
【請求項２】  請求項１において、
前記待機時コストデータベース、前記処理時コストデータベースおよび前記生産工程情報データベースのうち少なくとも１つは、バージョンと関連づけられ、
前記生産条件指定は、バージョンの指定を含み、
前記管理手段は、前記待機時コストデータベース、前記処理時コストデータベースおよび前記生産工程情報データベースのうちの少なくとも１つに基づき、前記バージョンの指定に応じた総コストを演算することを特徴とする生産管理システム。
【請求項３】  請求項２において、
前記生産条件指定は、複数のバージョンの指定を含み、
前記管理手段は、バージョンごとに総コストを演算し、
前記出力手段は、バージョンごとの総コストの相違を示す形式で総コストをユーザーに提示することを特徴とする生産管理システム。
【請求項４】  請求項１〜３のいずれかにおいて、
前記管理手段は、前記処理単位当たりのコストまたは総コストを異なる生産工程ごとに演算し、
前記出力手段は、前記処理単位当たりのコストまたは総コストを異なる生産工程ごとにユーザーに提示することを特徴とする生産管理システム。
【請求項５】  請求項１〜４のいずれかにおいて、
前記使用装置は、半導体の製造装置を含み、
前記集計単位は、半導体製造工場単位、半導体製造工程単位、半導体製造ライン単位のいずれかであって、
前記管理手段は、前記要求に応じて半導体製造に関するコストを演算し、
前記出力手段は、半導体製造に関するコストをユーザーに提示することを特徴とする生産管理システム。
【請求項６】  請求項１〜５のいずれかにおいて、
前記入力手段は、使用装置の待機時の経過時間に応じて変動するコストおよび使用装置の処理量に応じて変動するコストの少なくとも一方を入力し、
前記管理手段は、前記入力手段によって入力されたコストに関する情報に基づき、
前記時間単位ごとのコストに変換して待機時コストデータベースに入力する処理および前記処理単位ごとのコストに変換して処理時コストデータベースに入力する処理の少なくとも一方の処理を行うことを特徴とする生産管理システム。
【請求項７】  コンピュータにより読み取り可能なプログラムであって、
コンピュータを、
ユーザーからの要求を入力する入力手段と、
経過時間に応じて変動する所定の時間単位ごとの待機時コストを示す単位時間待機時コストと使用装置とが関連づけられた待機時コストデータベースと、生産条件と処理量に応じて変動する所定の処理単位ごとの処理時コストを示す単位処理量処理時コストと使用装置とが関連づけられた処理時コストデータベースと、生産条件と生産工程と使用装置とが関連づけられた生産工程情報データベースとに基づき、前記入力手段によって入力された要求に応じた総コストを演算する管理手段と、
当該管理手段によって演算された総コストを所定の形式でユーザーに提示する出力手段として機能させ、
前記要求は、前記生産条件の指定を示す生産条件指定と、前記生産工程の規模に応じた集計単位の指定を示す集計単位指定とを含み、
前記管理手段は、
前記生産条件指定に応じて少なくとも１台の使用装置を選択し、当該使用装置の想定待機時間と、当該使用装置の単位時間待機時コストとに基づき、前記集計単位指定に応じた総待機時コストを演算し、
前記生産条件指定に含まれる処理量の指定と、前記生産条件指定に応じて選択した使用装置の単位処理量処理時コストとに基づき、前記集計単位指定に応じた総処理時コストを演算し、
前記総待機時コストと、前記総処理時コストとに基づき、総コストを演算することを特徴とするプログラム。
【請求項８】  コンピュータにより読み取り可能なプログラムを記憶した情報記憶媒体であって、
コンピュータを、
ユーザーからの要求を入力する入力手段と、
経過時間に応じて変動する所定の時間単位ごとの待機時コストを示す単位時間待機時コストと使用装置とが関連づけられた待機時コストデータベースと、生産条件と処理量に応じて変動する所定の処理単位ごとの処理時コストを示す単位処理量処理時コストと使用装置とが関連づけられた処理時コストデータベースと、生産条件と生産工程と使用装置とが関連づけられた生産工程情報データベースとに基づき、前記入力手段によって入力された要求に応じた総コストを演算する管理手段と、
当該管理手段によって演算された総コストを所定の形式でユーザーに提示する出力手段として機能させるためのプログラムを記憶し、
前記要求は、前記生産条件の指定を示す生産条件指定と、前記生産工程の規模に応じた集計単位の指定を示す集計単位指定とを含み、
前記管理手段は、
前記生産条件指定に応じて少なくとも１台の使用装置を選択し、当該使用装置の想定待機時間と、当該使用装置の単位時間待機時コストとに基づき、前記集計単位指定に応じた総待機時コストを演算し、
前記生産条件指定に含まれる処理量の指定と、前記生産条件指定に応じて選択した使用装置の単位処理量処理時コストとに基づき、前記集計単位指定に応じた総処理時コストを演算し、
前記総待機時コストと、前記総処理時コストとに基づき、総コストを演算することを特徴とする情報記憶媒体。
【請求項９】  入力部と、管理部と、出力部とを含むコンピュータによる生産管理方法であって、
前記入力部は、ユーザーからの前記生産条件の指定を示す条件指定と、前記生産工程の規模に応じた集計単位の指定を示す集計単位指定とを含む要求を入力し、
前記管理部は、経過時間に応じて変動する所定の時間単位ごとの待機時コストを示す単位時間待機時コストと使用装置とが関連づけられた待機時コストデータベースと、処理量に応じて変動する所定の処理単位ごとの処理時コストを示す単位処理量処理時コストと使用装置とが関連づけられた処理時コストデータベースと、生産条件と生産工程と生産工程順序と使用装置とが関連づけられた生産工程情報データベースとに基づき、前記入力部によって入力された前記条件指定と、前記集計単位指定とに応じたコストを演算し、
前記出力部は、前記管理部によって演算されたコストを所定の形式でユーザーに提示することを特徴とする生産管理方法。